(57)【要約】【課題】携帯端末の追加登録において、不正登録を生じ難くすることができる携帯端末登録システムを提供する。【解決手段】登録済み携帯端末３ａは、登録済み携帯端末３ａにおいて端末登録の動作を行う第１登録部２６を備える。追加登録携帯端末３ｂは、追加登録携帯端末３ｂにおいて端末登録の動作を行う第２登録部２７を備える。追加登録携帯端末３ｂを端末認証ＥＣＵ８に追加登録するとき、登録済み携帯端末３ａを用意し、登録済み携帯端末３ａを経由して、追加登録携帯端末３ｂの登録作業を実行する。【選択図】図１
2015154283.tif 000002
【特許請求の範囲】
【請求項１】
携帯端末で機器を操作できるように、当該携帯端末を前記機器の端末認証ユニットに登録する携帯端末登録システムにおいて、
登録済み携帯端末は、当該登録済み携帯端末において登録の動作を実行する第１登録部を備え、追加登録携帯端末は、当該追加登録携帯端末において登録の動作を実行する第２登録部を備え、
前記追加登録携帯端末を前記端末認証ユニットに追加登録するとき、前記第２登録部は、前記第１登録部を経由して、追加登録の動作を実行する
ことを特徴とする携帯端末登録システム。
【請求項２】
前記追加登録のとき、前記第１登録部と協同して登録動作を実行するセンターを備えた
ことを特徴とする請求項１に記載の携帯端末登録システム。
【請求項３】
前記センターは、前記携帯端末及び機器のＩＤ照合で使用する携帯端末キー情報を管理するデータベースを備え、
当該センターは、追加登録時、前記データベースを参照することにより、当該追加登録にあたって前記端末認証ユニットに書き込むべき前記携帯端末キー情報を特定し、これを前記端末認証ユニットに登録させる
ことを特徴とする請求項２に記載の携帯端末登録システム。
【請求項４】
前記第１登録部は、前記追加登録のとき、前記登録済み携帯端末の携帯端末キーＩＤと、前記追加登録携帯端末の携帯端末キーＩＤとを、前記センターに送信し、
前記センターは、前記登録済み携帯端末から取得した当該登録済み携帯端末の携帯端末キーＩＤを基に、いま登録対象となっている端末認証ユニットを特定して、これを前記データベースに反映し、前記登録済み携帯端末から取得した前記追加登録携帯端末の携帯端末キーＩＤと前記データベースとを基に、前記端末認証ユニットに書き込むべき携帯端末キー鍵を読み出して、これを前記端末認証ユニットに登録させる
ことを特徴とする請求項３に記載の携帯端末登録システム。
【請求項５】
前記追加登録のとき、前記携帯端末がＩＤ照合で使用する携帯端末キー情報を、その元となるＳＥＥＤコードにより前記端末認証ユニットに向けて配送するキー情報配送部と、
前記端末認証ユニットにおいて取得した前記ＳＥＥＤコードを基に前記携帯端末キー情報を計算するキー情報計算部とを備え、
前記端末認証ユニットは、計算によって求めた前記携帯端末キー情報を、自身の端末認証ユニットＩＤに紐付けて登録する
ことを特徴とする請求項１〜４のうちいずれか一項に記載の携帯端末登録システム。
【請求項６】
前記キー情報配送部は、前記ＳＥＥＤコードを暗号化して送信し、
前記キー情報計算部は、暗号化ＳＥＥＤコードを復号し、その復号値を更に計算することにより、前記携帯端末キー情報を算出する
ことを特徴とする請求項５に記載の携帯端末登録システム。
【請求項７】
前記携帯端末を前記機器に初めて登録する新規登録機能と、前記携帯端末を前記機器に追加で登録する追加登録機能とを、両方とも実行すること可能である
ことを特徴とする請求項１〜６のうちいずれか一項に記載の携帯端末登録システム。
【発明の詳細な説明】
【技術分野】
【０００１】
本発明は、携帯端末を機器に登録する携帯端末登録システムに関する。
【背景技術】
【０００２】
近年、例えば高機能携帯電話等の携帯端末を電子キーの代わりに車両キーとして使用することを可能とする無線キー照合システムが検討されている（特許文献１等参照）。この種の携帯端末を電子キーとして使用することができれば、常時携帯することが予想される携帯端末で車両を操作することが可能となるので、電子キーを持ち歩く必要が生じず、利便性がよくなると予測される。
【先行技術文献】
【特許文献】
【０００３】
【特許文献１】特開２００５−２７３２６４号公報
【発明の概要】
【発明が解決しようとする課題】
【０００４】
携帯端末を車両キーとして使用できる無線キー照合システムの場合、例えばディーラ等に赴かなくても携帯端末を追加登録できる技術の開発ニーズがある。但し、どの携帯端末でも車両に追加登録を可能としてしまうと、車両盗難等に対するセキュリティ性の点で問題がある。よって、携帯端末を車両に追加登録可能とするにあたり、不正登録に対する対策が必要であった。
【０００５】
本発明の目的は、携帯端末の追加登録において、不正登録を生じ難くすることができる携帯端末登録システムを提供することにある。
【課題を解決するための手段】
【０００６】
前記問題点を解決する携帯端末登録システムは、携帯端末で機器を操作できるように、当該携帯端末を前記機器の端末認証ユニットに登録する構成において、登録済み携帯端末は、当該登録済み携帯端末において登録の動作を実行する第１登録部を備え、追加登録携帯端末は、当該追加登録携帯端末において登録の動作を実行する第２登録部を備え、前記追加登録携帯端末を前記端末認証ユニットに追加登録するとき、前記第２登録部は、前記第１登録部を経由して、追加登録の動作を実行する。
【０００７】
本構成によれば、追加登録携帯端末を端末認証ユニットに追加登録するにあたっては、端末認証ユニットに既に登録が済んでいる登録済み携帯端末を経由しなければ、追加登録携帯端末を端末認証ユニットに登録することができない。よって、追加登録携帯端末を端末認証ユニットに追加登録するにあたり、登録済み携帯端末が必要となるので、不正登録を生じ難くすることが可能となる。
【０００８】
前記携帯端末登録システムにおいて、前記追加登録のとき、前記第１登録部と協同して登録動作を実行するセンターを備えることが好ましい。この構成によれば、追加登録には、センターによる登録の許可も必要となるので、不正登録の防止に一層有利となる。
【０００９】
前記携帯端末登録システムにおいて、前記センターは、前記携帯端末及び機器のＩＤ照合で使用する携帯端末キー情報を管理するデータベースを備え、当該センターは、追加登録時、前記データベースを参照することにより、当該追加登録にあたって前記端末認証ユニットに書き込むべき前記携帯端末キー情報を特定し、これを前記端末認証ユニットに登録させることが好ましい。この構成によれば、携帯端末キー情報はセンターのデータベースで管理されるので、携帯端末キー情報の不正読み出し等に対する防犯性が確保される。
【００１０】
前記携帯端末登録システムにおいて、前記第１登録部は、前記追加登録のとき、前記登録済み携帯端末の携帯端末キーＩＤと、前記追加登録携帯端末の携帯端末キーＩＤとを、前記センターに送信し、前記センターは、前記登録済み携帯端末から取得した当該登録済み携帯端末の携帯端末キーＩＤを基に、いま登録対象となっている端末認証ユニットを特定して、これを前記データベースに反映し、前記登録済み携帯端末から取得した前記追加登録携帯端末の携帯端末キーＩＤと前記データベースとを基に、前記端末認証ユニットに書き込むべき携帯端末キー鍵を読み出して、これを前記端末認証ユニットに登録させることが好ましい。この構成によれば、追加登録携帯端末に書き込むべき正しい携帯端末キー鍵を、間違えずに特定するのに有利となる。
【００１１】
前記携帯端末登録システムにおいて、前記追加登録のとき、前記携帯端末がＩＤ照合で使用する携帯端末キー情報を、その元となるＳＥＥＤコードにより前記端末認証ユニットに向けて配送するキー情報配送部と、前記端末認証ユニットにおいて取得した前記ＳＥＥＤコードを基に前記携帯端末キー情報を計算するキー情報計算部とを備え、前記端末認証ユニットは、計算によって求めた前記携帯端末キー情報を、自身の端末認証ユニットＩＤに紐付けて登録することが好ましい。この構成によれば、携帯端末キー鍵をＳＥＥＤコードで配送するので、携帯端末キー鍵の配送にあたり、不正取得等に対するセキュリティ性を確保することが可能となる。
【００１２】
前記携帯端末登録システムにおいて、前記キー情報配送部は、前記ＳＥＥＤコードを暗号化して送信し、前記キー情報計算部は、暗号化ＳＥＥＤコードを復号し、その復号値を更に計算することにより、前記携帯端末キー情報を算出することが好ましい。この構成によれば、ＳＥＥＤコードの不正取得を生じ難くするのに一層有利となる。
【００１３】
前記携帯端末登録システムにおいて、前記携帯端末を前記機器に初めて登録する新規登録機能と、前記携帯端末を前記機器に追加で登録する追加登録機能とを、両方とも実行すること可能であることが好ましい。この構成によれば、１つの携帯端末登録システムで新規登録と追加登録との両方を実行することが可能となる。
【発明の効果】
【００１４】
本発明によれば、携帯端末の追加登録において、不正登録を生じ難くすることができる。
【図面の簡単な説明】
【００１５】
【図１】一実施形態の携帯端末登録システムの構成図。
【図２】登録済み携帯端末の概要図。
【図３】追加登録携帯端末のメモリ部へユーザ情報を書き込むときの手順図。
【図４】追加登録携帯端末へアプリケーションをダウンロードするときの手順図。
【図５】メモリ部へのデータ書き込みの手順図。
【図６】第１パターンにより追加登録携帯端末を車両に登録するときの手順図。
【図７】第１パターンにより追加登録携帯端末を車両に登録するときの手順図。
【図８】第２パターンにより追加登録携帯端末を車両に登録するときの手順図。
【図９】第２パターンにより追加登録携帯端末を車両に登録するときの手順図。
【発明を実施するための形態】
【００１６】
以下、携帯端末登録システムの一実施形態を図１〜図９に従って説明する。
［無線キー照合システムの説明］
図１に示すように、車両１は、無線によるキー照合が可能な無線キー照合システム２を備える。無線キー照合システム２は、携帯端末３を車両キーとする携帯端末キーシステム４と、電子キー５を車両キーとする電子キーシステム６とを備えることが好ましい。携帯端末３は、例えば高機能携帯電話であることが好ましい。車両１は携帯端末３及び電子キー５のどちらによっても操作可能であるが、ユーザが常時携帯する可能性の高い携帯端末３をメインキーとして使用し、電子キー５をサブキーとして使用するとよい。
【００１７】
携帯端末キーシステム４の通信は、通信距離が例えば数〜１０数ｃｍ程度の近距離無線通信であることが好ましい。近距離無線通信は、例えばＮＦＣ（Near Field Communication）やブルートゥース（Ｒ）を用いた通信であるとよい。近距離無線通信は、例えばＬＦ（Low Frequency）、ＨＦ（High Frequency）、ＵＨＦ（Ultra High Frequency）等の種々の電波が使用可能である。携帯端末３には、それぞれの携帯端末３の固有情報として携帯端末キー情報Ｄkeが書き込み保存されている。携帯端末キー情報Ｄkeは、携帯端末３に設けられたメモリ部７に書き込まれることが好ましい。携帯端末キー情報Ｄkeは、携帯端末キーシステム４のＩＤ照合で使用する認証情報の一種である。携帯端末キー情報Ｄkeは、例えば各携帯端末３の固有ＩＤである携帯端末キーＩＤと、キー照合の暗号通信で使用する携帯端末キー鍵とを備えることが好ましい。暗号通信は、例えばチャレンジレスポンス認証であることが好ましい。
【００１８】
携帯端末３には、携帯端末キー情報Ｄkeとは別の固有情報として、ユーザ情報Ｄusが書き込み保存されている。ユーザ情報Ｄusは、各携帯端末３のユーザに関わる個人情報の一種である。ユーザ情報Ｄusは、例えば携帯端末３の電話番号と、携帯端末３に設けられたメモリ部７の固有番号とを含むことが好ましい。メモリ部７が例えばＵＩＭ（User Identity Module）カードの場合、固有番号は、各ＵＩＭカードに割り振られた固有ＩＤであることが好ましい。ＵＩＭカードとしては、例えばＳＩＭ（Subscriber Identity Module）カードがある。
【００１９】
電子キーシステム６の通信は、通信距離が例えば数ｍ程度の狭域無線通信であることが好ましい。狭域無線通信は、車両１→電子キー５の通信がＬＦ帯の電波、その逆がＵＨＦ帯の電波の双方向通信であるとよい。電子キー５には、それぞれの電子キー５の固有ＩＤである電子キーＩＤと、キー照合の暗号通信で使用する電子キー鍵とが書き込み保存されている。この暗号通信も、例えばチャレンジレスポンス認証であることが好ましい。
【００２０】
車両１は、携帯端末３の正当性を認証する端末認証ＥＣＵ（Electronic Control Unit）８と、電子キー５の正当性を認証する照合ＥＣＵ９と、車載電装品の電源を管理するボディＥＣＵ１０と、エンジン１２を制御するエンジンＥＣＵ１１とを備える。これらＥＣＵは、車内の通信バス１３を通じて接続されている。通信バス１３は、例えばＣＡＮ（Controller Area Network）であることが好ましい。
【００２１】
端末認証ＥＣＵ８には、端末認証ＥＣＵ８（車両１）に登録された携帯端末キー情報Ｄke、すなわち携帯端末キーＩＤ及び携帯端末キー鍵が書き込み保存されている。端末認証ＥＣＵ８には、複数の携帯端末３、すなわち携帯端末キーＩＤ及び携帯端末キー鍵を複数組登録することが可能である。端末認証ＥＣＵ８には、端末認証ＥＣＵ８における電波の送受信を可能とする通信アンテナ１４が接続されている。
【００２２】
照合ＥＣＵ９には、照合ＥＣＵ９（車両１）に登録された電子キー５の電子キーＩＤと、その電子キー５の電子キー鍵とが書き込み保存されている。照合ＥＣＵ９には、複数の電子キー５、すなわち電子キーＩＤ及び電子キー鍵を複数組と登録することが可能である。照合ＥＣＵ９には、車外に電波を送信可能な車外送信アンテナ１５と、車内に電波を送信する車内送信アンテナ１６と、車両１において電波を受信可能な受信アンテナ１７とが接続されている。車外送信アンテナ１５及び車内送信アンテナ１６は、例えばＬＦ電波を送信可能であることが好ましい。受信アンテナ１７は、例えばＵＨＦ電波を受信可能であることが好ましい。照合ＥＣＵ９には、車両電源を切り替える際に操作するエンジンスイッチ１８が接続されている。エンジンスイッチ１８は、例えば運転席に配置され、操作によって車両電源がＩＧオフ、ＡＣＣオン、ＩＧオン、エンジンスタート等に切り替えられる。
【００２３】
端末認証ＥＣＵ８は、携帯端末３とのキー照合を暗号通信により実行する。具体的にいうと、まず端末認証ＥＣＵ８は、ＮＦＣ通信の場合、携帯端末３が近接されたか否かを確認するために、通信アンテナ１４から搬送波Ｓｖを定期的に間欠送信するポーリング（待ち受け）を実行する。携帯端末３が通信アンテナ１４に近接されると、搬送波Ｓｖの振幅が負荷変調により変化する。端末認証ＥＣＵ８は、搬送波Ｓｖの振幅変化を確認すると、携帯端末キーシステム４によるＩＤ照合を開始する。
【００２４】
端末認証ＥＣＵ８は、携帯端末３とのＩＤ照合として、例えばチャレンジレスポンス認証を実行する。この場合、端末認証ＥＣＵ８は、送信の度に毎回異なる値をとるチャレンジコードＳchを携帯端末３に送信する。携帯端末３は、端末認証ＥＣＵ８からチャレンジコードＳchを受信すると、これを自身の携帯端末キー鍵に通すことによりレスポンスコードを演算し、レスポンス信号Ｓreを端末認証ＥＣＵ８に送信する。レスポンス信号Ｓreは、例えばレスポンスコードと、携帯端末３に書き込み保存された携帯端末キーＩＤとを含む信号であるとよい。
【００２５】
端末認証ＥＣＵ８は、チャレンジコードＳchを携帯端末３に送信するあたり、このチャレンジコードＳchを自身の携帯端末キー鍵に通すことにより、自らもレスポンスコードを演算する。端末認証ＥＣＵ８は、携帯端末３からレスポンス信号Ｓreを受信すると、レスポンス信号Ｓre内のレスポンスコードの正当性を確認するレスポンス照合と、レスポンス信号Ｓre内の携帯端末キーＩＤの正当性を確認するキーＩＤ照合とを実行する。端末認証ＥＣＵ８は、これら照合が成立することを確認すると、ボディＥＣＵ１０による車両ドアの施解錠や、エンジンスイッチ１８の操作による車両電源の遷移を許可又は実行する。
【００２６】
照合ＥＣＵ９は、電子キー５とのキー照合を暗号通信により実行する。具体的には、車外の電子キー５とキー照合を行う場合、照合ＥＣＵ９は、車外送信アンテナ１５からウェイク信号Ｓwkを定期送信する。電子キー５は、車外送信アンテナ１５のウェイク信号Ｓwkを受信すると、アック信号Ｓackを照合ＥＣＵ９に送信する。照合ＥＣＵ９は、電子キー５からアック信号Ｓackを受信すると、電子キーシステム６によるＩＤ照合（スマート照合）を開始する。なお、電子キーシステム６のＩＤ照合は、携帯端末キーシステム４のＩＤ照合に対してＩＤと鍵とが異なるだけで原理は同じであるので、説明を省略する。すなわち、照合ＥＣＵ９からチャレンジコードＳchが送信され、電子キー５からレスポンス信号Ｓreが送信されて、レスポンス照合及びキーＩＤ照合が実行される。照合ＥＣＵ９は、電子キー５と車外スマート照合が成立することを確認すると、ボディＥＣＵ１０による車両ドアの施解錠を許可又は実行する。
【００２７】
照合ＥＣＵ９は、ユーザが車内に乗車したことをカーテシスイッチ等により確認すると、今度は車内送信アンテナ１６からウェイク信号Ｓwkの送信を開始して、車外と同様に、車内スマート照合を実行する。照合ＥＣＵ９は、電子キー５と車内スマート照合が成立することを確認すると、エンジンスイッチ１８の操作による車両電源の遷移を許可する。
【００２８】
［携帯端末登録システムの構成］
図１に示すように、機器（一例は車両１、以下同様）は、携帯端末３で車両１を操作できるように、携帯端末３を車両１に登録する携帯端末登録システム１９を備える。携帯端末登録システム１９は、例えば携帯端末３、端末認証ＥＣＵ８、第１センター２０及び第２センター２１から構築されることが好ましい。携帯端末３、第１センター２０及び第２センター２１は、ネットワーク２２を通じて通信可能であることが好ましい。第１センター２０は、携帯端末３の登録作業を主になって実行するマスタ端末であることが好ましい。第２センター２１は、例えば市場のサービスプロバイダであることが好ましい。なお、車両１への携帯端末３の登録には、端末認証ＥＣＵ８の製造工場２３と、車両１を販売するディーラ２４とが関係してもよい。
【００２９】
携帯端末登録システム１９は、携帯端末３を初めて車両１に新規登録する新規登録機能と、携帯端末３が登録済みの車両１に別の携帯端末３を追加登録する追加登録機能とを備える。本例の場合、新規登録機能によって車両１に登録された携帯端末３を「登録済み携帯端末３ａ」と記し、追加登録機能によって車両１に登録された携帯端末３を「追加登録携帯端末３ｂ」と記す。
【００３０】
端末認証ユニット（本例は端末認証ＥＣＵ８）には、それぞれの端末認証ユニットの固有情報として端末認証ユニット情報Ｄunが書き込み保存されている。端末認証ユニット情報Ｄunは、各端末認証ＥＣＵ８を識別するための情報の一種であり、例えば製造時に書き込まれることが好ましい。端末認証ユニット情報Ｄunは、例えば各端末認証ＥＣＵ８の固有ＩＤであるＥＣＵ−ＩＤと、暗号鍵の一種であるＥＣＵ鍵とを備えることが好ましい。
【００３１】
携帯端末登録システム１９は、携帯端末３及び機器のＩＤ照合で使用する携帯端末キー情報Ｄkeを管理するデータベース２５を備える。データベース２５は、例えば第１センター２０に設けられることが好ましい。データベース２５は、ユーザ情報Ｄus、端末認証ユニット情報Ｄun及び携帯端末キー情報Ｄkeの紐付けを管理することが好ましい。
【００３２】
登録済み携帯端末３ａは、登録済み携帯端末３ａにおいて登録の動作を実行する第１登録部２６を備える。追加登録携帯端末３ｂは、追加登録携帯端末３ｂにおいて登録の動作を実行する第２登録部２７を備える。追加登録携帯端末３ｂを端末認証ユニットに追加登録するとき、第２登録部２７は、第１登録部２６を経由して、追加登録の動作を実行する。すなわち、追加登録携帯端末３ｂを端末認証ＥＣＵ８に追加登録したい場合には、登録済み携帯端末３ａを経由しないと登録できないようになっている。
【００３３】
携帯端末登録システム１９は、追加登録携帯端末３ｂを端末認証ユニットに登録することが許可されたとき、携帯端末３がＩＤ照合で使用する携帯端末キー情報Ｄke（本例は携帯端末キー鍵）を、その元となるＳＥＥＤコード（種コード）により端末認証ユニットに向けて配送するキー情報配送部２８を備えることが好ましい。キー情報配送部２８は、例えば第１センター２０に設けられるとよい。携帯端末登録システム１９は、端末認証ユニットにおいて取得したＳＥＥＤコードを携帯端末キー情報Ｄke（本例は携帯端末キー鍵）に復号するキー情報計算部２９を備えることが好ましい。キー情報計算部２９は、例えば端末認証ＥＣＵ８に設けられるとよい。
【００３４】
次に、図２〜図９を用い、携帯端末登録システム１９の追加登録機能の動作を説明する。
［追加登録の前提］
図２に示すように、登録済み携帯端末３ａと、端末認証ＥＣＵ８の一例である端末認証ＥＣＵ−Ａと、データベース２５とには、例えば携帯端末登録システム１９の新規登録機能によって、種々の必要事項が書き込み登録されているとする。なお、携帯端末登録システム１９を使用しない他の方法によって、登録済み携帯端末３ａ、端末認証ＥＣＵ−Ａ及びデータベース２５に必要事項が書き込み登録されてもよい。
【００３５】
登録済み携帯端末３ａのメモリ部７ａは、携帯端末キー情報Ｄkeの書き込み領域として携帯端末キーＩＤ書き込み領域３０及び携帯端末キー鍵書き込み領域３１を備え、ユーザ情報Ｄusの書き込み領域として電話番号書き込み領域３２及び固有番号書き込み領域３３を備える。本例の場合、登録済み携帯端末３ａには、携帯端末キーＩＤ「ＩＤ−１」、携帯端末キー鍵「鍵−１」、電話番号「１２３４」及び固有番号「α」が書き込み保存されている。
【００３６】
端末認証ＥＣＵ−Ａは、端末認証ユニット情報Ｄunの書き込み領域としてＥＣＵ−ＩＤ書き込み領域３４及びＥＣＵ鍵書き込み領域３５を備え、携帯端末キー情報Ｄkeの書き込み領域として携帯端末キーＩＤ書き込み領域３６及び携帯端末キー鍵書き込み領域３７を備える。本例の場合、端末認証ＥＣＵ−Ａには、ＥＣＵ−ＩＤ「ＩＤ−Ａ」、ＥＣＵ鍵「鍵−Ａ」、携帯端末キーＩＤ「ＩＤ−１」及び携帯端末キー鍵「鍵−１」が書き込み保存されている。
【００３７】
新規登録が完了したとき、この登録内容は、第１センター２０のデータベース２５に反映される。データベース２５は、ユーザ情報Ｄusの書き込み領域である電話番号書き込み領域３８及び固有番号書き込み領域３９と、端末認証ユニット情報Ｄunの書き込み領域であるＥＣＵ−ＩＤ書き込み領域４０及びＥＣＵ鍵書き込み領域４１と、携帯端末キー情報Ｄkeの書き込み領域である携帯端末キーＩＤ書き込み領域４２及び携帯端末キー鍵書き込み領域４３とを備える。本例の場合、データベース２５には、電話番号「１２３４」、固有番号「α」、ＥＣＵ−ＩＤ「ＩＤ−Ａ」、ＥＣＵ鍵「鍵−Ａ」、携帯端末キーＩＤ「ＩＤ−１」及び携帯端末キー鍵「鍵−１」が書き込み保存されている。これらは、データベース２５において同一の行に書き込まれている。
【００３８】
登録済み携帯端末３ａは、登録済み携帯端末３ａにおいて登録動作を行うのに必要となるＵＩアプリケーション４４が書き込み登録されている。ＵＩアプリケーション４４は、例えばネットワーク２２を通じて登録済み携帯端末３ａにダウンロードされるとよい。このＵＩアプリケーション４４を登録済み携帯端末３ａにダウンロードすることにより、登録済み携帯端末３ａに第１登録部２６が機能的に生成される。
【００３９】
［追加登録の動作］
図３に、追加登録携帯端末３ｂのメモリ部７ｂへユーザ情報Ｄusを書き込むときの概要を図示する。ステップ１０１において、メモリ部７ｂは、メモリ部７ｂに設けられた固有番号書き込み領域４５に、各メモリ部７ｂの固有番号（一例は「β」）を書き込む。固有番号の書き込みは、例えばメモリ部７ｂの製造にあたり、メモリ部７ｂの製造工場で実施されることが好ましい。
【００４０】
ステップ１０２において、メモリ部７ｂは、メモリ部７ｂに設けられた電話番号書き込み領域４６に、ユーザ固有の電話番号（一例は「５６７８」）を書き込む。電話番号の書き込みは、例えばユーザがショップ等に赴いて電話回線契約（電話回線申し込み）を行うとき、ショップで実施されることが好ましい。
【００４１】
図４に、追加登録携帯端末３ｂへ各種アプリケーションをダウンロードするときの概要を図示する。ステップ２０１に示すように、ユーザは、例えばディーラ２４において、ネットワーク２２の通信を通じ、追加登録携帯端末３ｂに携帯端末キー情報Ｄkeを書き込むのに必要なＵＩアプリケーション（ユーザインターフェースアプリ）４７を、追加登録携帯端末３ｂにダウンロードする。ＵＩアプリケーション４７は、例えばJava（Ｒ）アプリケーションのマーケットから取得することが好ましい。このＵＩアプリケーション４７を追加登録携帯端末３ｂにダウンロードすることにより、追加登録携帯端末３ｂに第２登録部２７が機能的に生成される。
【００４２】
ステップ２０２において、ユーザは、携帯端末キー情報Ｄkeを書き込むときに必要な書き込みアプリケーション４８を、例えばネットワーク２２の通信を通じて追加登録携帯端末３ｂにダウンロードする。書き込みアプリケーション４８は、例えばメモリ部７ｂがＵＩＭカードの場合、ＩＣアプレットであることが好ましい。ＩＣアプレットは、ＵＩＭカード上で動作するJava（Ｒ）Cardアプリである。
【００４３】
ステップ２０３において、追加登録携帯端末３ｂは、ネットワーク２２の通信を通じてダウンロードした書き込みアプリケーション４８を、メモリ部７ｂに書き込む。書き込みアプリケーション４８は、携帯端末キー情報Ｄkeの書き込み領域となる書き込みフォーマット４９を備える。書き込みフォーマット４９は、携帯端末キー情報Ｄkeの書き込み領域として携帯端末キーＩＤ書き込み領域５０及び携帯端末キー鍵書き込み領域５１を備える。なお、書き込みアプリケーション４８をメモリ部７ｂに書き込んだ時点では、書き込みフォーマット４９は空データとなっている。
【００４４】
図５に、追加登録携帯端末３ｂのメモリ部７ｂへのデータ書き込みの概要を図示する。ステップ３０１において、ユーザは、追加登録携帯端末３ｂに追加登録用のデータ発行依頼Ｓreq1を入力する。追加登録用のデータ発行依頼Ｓreq1は、追加登録の開始を要求する指令であり、具体的には、追加登録携帯端末３ｂのメモリ部７ｂに携帯端末キー情報Ｄkeを書き込むことを要求する入力情報である。
【００４５】
ステップ３０２において、追加登録携帯端末３ｂ（第２登録部２７）は、追加登録携帯端末３ｂに入力された追加登録用のデータ発行依頼Ｓreq1を、ネットワーク２２の通信を通じて第１センター２０に送信する。本例の場合、追加登録用のデータ発行依頼Ｓreq1は、第２センター２１を経由して第１センター２０に通知される。追加登録用のデータ発行依頼Ｓreq1は、例えば追加登録用のデータ発行を要求するコマンドと、ユーザ情報Ｄus（一例は、電話番号「５６７８」及び固有番号「β」）とを含む通知であることが好ましい。
【００４６】
ステップ３０３において、第１センター２０は、第２センター２１から追加登録用のデータ発行依頼Ｓreq1を入力すると、このデータ発行依頼Ｓreq1に含まれるユーザ情報Ｄusをデータベース２５に登録する。このとき、第１センター２０は、データベース２５において、新たな行の電話番号書き込み領域５２及び固有番号書き込み領域５３に、電話番号「５６７８」及び固有番号「β」を各々書き込む。また、第１センター２０は、追加登録携帯端末３ｂ用の携帯端末キー情報Ｄke、すなわち携帯端末キーＩＤ「ＩＤ−２」及び携帯端末キー鍵「鍵−２」を作成する。このとき、第１センター２０は、作成した携帯端末キーＩＤ「ＩＤ−２」及び携帯端末キー鍵「鍵−２」を、電話番号「５６７８」と同じ行の携帯端末キーＩＤ書き込み領域５４及び携帯端末キー鍵書き込み領域５５に各々書き込む。これにより、電話番号「５６７８」、固有番号「β」、携帯端末キーＩＤ「ＩＤ−２」、携帯端末キー鍵「鍵−２」が紐付けされる。
【００４７】
ステップ３０４において、第１センター２０は、作成した携帯端末キー情報Ｄke、すなわち携帯端末キーＩＤ「ＩＤ−２」及び携帯端末キー鍵「鍵−２」を、ネットワーク２２の通信を通じて追加登録携帯端末３ｂに発行する。本例の場合、携帯端末キーＩＤ「ＩＤ−２」及び携帯端末キー鍵「鍵−２」は、第２センター２１を経由して追加登録携帯端末３ｂに送信される。これにより、追加登録携帯端末３ｂは、第１センター２０が作成した携帯端末キーＩＤ「ＩＤ−２」及び携帯端末キー鍵「鍵−２」を取得する。
【００４８】
ステップ３０５において、追加登録携帯端末３ｂ（第２登録部２７）は、第２センター２１から受信した携帯端末キー情報Ｄkeをメモリ部７ｂに書き込む。ここでは、携帯端末キーＩＤ書き込み領域５０に携帯端末キーＩＤ「ＩＤ−２」が書き込まれ、携帯端末キー鍵書き込み領域５１の携帯端末キー鍵「鍵−２」が書き込まれる。これにより、追加登録携帯端末３ｂの設定が完了する。
【００４９】
図６〜図９に、車両１への追加登録携帯端末３ｂの登録概要（追加登録概要）を図示する。追加登録の仕方は、第１パターン（図６及び図７参照）及び第２パターン（図８及び図９参照）の２つがある。なお、本例の追加登録の場合、登録済み携帯端末３ａを必要とするので、登録済み携帯端末３ａ及び追加登録携帯端末３ｂの２つを手元に用意する。また、追加登録携帯端末３ｂを車両１に登録するにあたっては、車両１及び追加登録携帯端末３ｂの間の近距離無線通信（すなわち、携帯端末キーシステム４の通信ハード）を使用して行うので、追加登録携帯端末３ｂを端末認証ＥＣＵ８の通信アンテナ１４にかざしながら実行するとよい。なお、登録済み携帯端末３ａは、追加登録携帯端末３ｂと同様の書き込みアプリケーション５６を備えるとする。
【００５０】
［追加登録の第１パターン］
図６及び図７に示すように、ステップ４０１において、例えばユーザは、追加登録携帯端末３ｂに追加登録依頼（追加登録命令）Ｓreq2を入力する。追加登録依頼Ｓreq2は、車両１に追加登録携帯端末３ｂを追加登録することを要求する入力情報の一種である。
【００５１】
ステップ４０２において、追加登録携帯端末３ｂ（第２登録部２７）は、追加登録依頼Ｓreq2を入力すると、その追加登録依頼Ｓreq2を、例えばネットワーク２２の通信を通じて登録済み携帯端末３ａに送信する。追加登録依頼Ｓreq2は、追加登録の開始を要求するコマンドと、追加登録携帯端末３ｂに書き込まれた携帯端末キーＩＤ「ＩＤ−２」とを含む通知であるとよい。
【００５２】
ステップ４０３において、登録済み携帯端末３ａ（第１登録部２６）は、追加登録携帯端末３ｂから受信した追加登録依頼Ｓreq2を、ネットワーク２２の通信を通じて第１センター２０に送信する。この追加登録依頼Ｓreq2は、追加登録の開始を要求するコマンドと、登録済み携帯端末３ａに書き込まれた携帯端末キーＩＤ「ＩＤ−１」と、追加登録携帯端末３ｂから取得した携帯端末キーＩＤ「ＩＤ−２」とを含む通知であるとよい。
【００５３】
ステップ４０４において、第１センター２０は、いま登録対象となっている端末認証ＥＣＵ８を確認する。具体的にいうと、第１センター２０は、追加登録依頼Ｓreq2により分かる登録済み携帯端末３ａの携帯端末キーＩＤ「ＩＤ−１」から、いま登録対象となっている端末認証ＥＣＵ−Ａを割り出し、そのＥＣＵ−ＩＤ「ＩＤ−Ａ」及びＥＣＵ鍵「鍵−Ａ」を、追加登録携帯端末３ｂの携帯端末キーＩＤ「ＩＤ−２」に紐付けしてデータベース２５に書き込む。ここでは、「ＩＤ−２」と同じ行に位置するＥＣＵ−ＩＤ書き込み領域５７及びＥＣＵ書き込み領域５８に、「ＩＤ−Ａ」及び「鍵−Ａ」が各々書き込まれる。
【００５４】
ステップ４０５において、キー情報配送部２８は、登録対象となっている端末認証ＥＣＵ−Ａが確認されると、いま登録対象となっている追加登録携帯端末３ｂの携帯端末キー鍵「鍵−２」を配送するにあたり、この携帯端末キー鍵「鍵−２」のＳＥＥＤコード（種コード）を演算する。具体的に述べると、キー情報配送部２８は、「ＩＤ−２」と同じ行にある携帯端末キー鍵「鍵−２」を平文とし、「ＩＤ−２」と同じ行にあるＥＣＵ鍵「鍵−Ａ」を配送鍵として、これらを第１センター２０の暗号アルゴリズム５９に通すことにより、携帯端末キー鍵「鍵−２」のＳＥＥＤコード「ＳＥＥＤ−２Ａ」を演算する。暗号アルゴリズム５９は、例えばＡＥＳ（Advanced Encryption Standard）であることが好ましい。ＳＥＥＤコード「ＳＥＥＤ−２Ａ」は、平文を配送鍵で暗号化した暗号文である。
【００５５】
ステップ４０６において、第１センター２０（キー情報配送部２８）は、演算したＳＥＥＤコード「ＳＥＥＤ−２Ａ」を、ネットワーク２２の通信を通じて登録済み携帯端末３ａに送信する。
【００５６】
ステップ４０７において、登録済み携帯端末３ａ（第１登録部２６）は、第１センター２０から受信したＳＥＥＤコード「ＳＥＥＤ−２Ａ」を暗号化する。具体的にいうと、登録済み携帯端末３ａは、第１センター２０から受信したＳＥＥＤコード「ＳＥＥＤ−２Ａ」を平文とし、登録済み携帯端末３ａに書き込まれた携帯端末キー鍵「鍵−１」を配送鍵として、これらを登録済み携帯端末３ａの暗号アルゴリズム６０に通すことにより、暗号化ＳＥＥＤコード「ＳＥＥＤ−２Ａ’」を作成する。これにより、第１センター２０から端末認証ＥＣＵ８に「鍵−２」が配送される過程において、「鍵−２」が２重に暗号化される。
【００５７】
ステップ４０８において、登録済み携帯端末３ａ（第１登録部２６）は、作成した暗号化ＳＥＥＤコード「ＳＥＥＤ−２Ａ’」を、例えばネットワーク２２の通信を通じて、追加登録携帯端末３ｂに送信する。
【００５８】
ステップ４０９において、追加登録携帯端末３ｂ（第２登録部２７）は、登録済み携帯端末３ａから暗号化ＳＥＥＤコード「ＳＥＥＤ−２Ａ’」を受信すると、自身に書き込まれている携帯端末キーＩＤ「ＩＤ−２」と、登録済み携帯端末３ａから取得した暗号化ＳＥＥＤコード「ＳＥＥＤ−２Ａ’」とを、例えば近距離無線通信を通じて端末認証ＥＣＵ−Ａに送信する。
【００５９】
端末認証ＥＣＵ−Ａは、追加登録携帯端末３ｂから携帯端末キーＩＤ「ＩＤ−２」を受信すると、これを「ＥＣＵ−ＩＤ」及び「ＥＣＵ鍵」に紐付けして、携帯端末キー情報Ｄkeの書き込み領域に書き込む。具体的には、「ＩＤ−１」とは別の書き込み領域である携帯端末キーＩＤ書き込み領域６１に「ＩＤ−２」が書き込まれる。
【００６０】
ステップ４１０において、キー情報計算部２９は、追加登録携帯端末３ｂから暗号化ＳＥＥＤコード「ＳＥＥＤ−２Ａ’」を受信すると、これを基に携帯端末キー鍵「鍵−２」を計算する。具体的に述べると、キー情報計算部２９は、まず追加登録携帯端末３ｂから取得した暗号化ＳＥＥＤコード「ＳＥＥＤ−２Ａ’」を暗号文とし、端末認証ＥＣＵ−Ａに書き込まれている携帯端末キー鍵「鍵−１」を配送鍵として、これらを端末認証ＥＣＵ−Ａの暗号アルゴリズム６２に通すことにより、暗号化されていないＳＥＥＤコード、すなわちＳＥＥＤコード「ＳＥＥＤ−２Ａ」を演算する。暗号アルゴリズム６０，６２は、同一アルゴリズムである。そして、キー情報計算部２９は、このＳＥＥＤコード「ＳＥＥＤ−２Ａ」を暗号文とし、端末認証ＥＣＵ−Ａに書き込まれているＥＣＵ鍵「鍵−Ａ」を配送鍵として、これらを端末認証ＥＣＵ−Ａの暗号アルゴリズム６３に通すことにより、携帯端末キー鍵「鍵−２」を演算する。暗号アルゴリズム５９，６３は、同一アルゴリズムである。このときの携帯端末キー鍵「鍵−２」は、２重暗号化された暗号文を配送鍵で２回復号した平文である。キー情報計算部２９は、計算により求めた携帯端末キー鍵「鍵−２」を、「ＩＤ−２」に紐づけて、端末認証ＥＣＵ−Ａの携帯端末キー鍵書き込み欄６４に書き込む。これにより、端末認証ＥＣＵ−Ａに対する追加登録携帯端末３ｂの必要事項の書き込みが完了する。
【００６１】
ステップ４１１において、端末認証ＥＣＵ−Ａは、必要事項の書き込みが完了すると、その旨を通知する登録完了通知Ｓendを、追加登録携帯端末３ｂを経由して第１センター２０に送信する。追加登録携帯端末３ｂ（第２登録部２７）は、端末認証ＥＣＵ−Ａから登録完了通知Ｓendを受信すると、追加登録動作を終了する。また、第１センター２０は、追加登録携帯端末３ｂから登録完了通知Ｓendを受信すると、追加登録動作を終了する。以上により、車両１への追加登録携帯端末３ｂの登録が完了する。
【００６２】
［追加登録の第２パターン］
図８及び図９に示すように、第２パターンにおいて第１パターンと異なる箇所は、第１センター２０でＳＥＥＤコードの２重暗号化を行い、復号を登録済み携帯端末３ａ及び端末認証ＥＣＵ８でそれぞれ行う点である。よって、第２パターンの説明にあたっては、第１パターンと異なる箇所を主に詳述する。
【００６３】
ステップ５０１〜５０４は、第１パターンのステップ４０１〜４０４と同じである。
ステップ５０５において、キー情報配送部２８は、「ＩＤ−２」と同じ行にある携帯端末キー鍵「鍵−２」を平文とし、「ＩＤ−２」と同じ行にあるＥＣＵ鍵「鍵−Ａ」を配送鍵として、これらを第１センター２０の暗号アルゴリズム５９に通すことにより、携帯端末キー鍵「鍵−２」のＳＥＥＤコード「ＳＥＥＤ−２Ａ」を演算する。キー情報配送部２８は、演算したＳＥＥＤコード「ＳＥＥＤ−２Ａ」を平文とし、「ＩＤ−１」と同じ行にある携帯端末キー鍵「鍵−１」を配送鍵として、これらを第１センター２０の暗号アルゴリズム６０に通すことにより、暗号化ＳＥＥＤコード「ＳＥＥＤ−２Ａ’」を演算する。
【００６４】
ステップ５０６において、第１センター２０（キー情報配送部２８）は、暗号化ＳＥＥＤコード「ＳＥＥＤ−２Ａ’」を、ネットワーク２２の通信を通じて登録済み携帯端末３ａに送信する。
【００６５】
ステップ５０７において、登録済み携帯端末３ａ（第１登録部２６）は、第１センター２０から暗号化ＳＥＥＤコード「ＳＥＥＤ−２Ａ’」を受信すると、これを復号する。具体的にいうと、登録済み携帯端末３ａ（第１登録部２６）は、暗号化ＳＥＥＤコード「ＳＥＥＤ−２Ａ’」を暗号文とし、登録済み携帯端末３ａに書き込まれている携帯端末キー鍵「鍵−１」を配送鍵として、これらを登録済み携帯端末３ａの暗号アルゴリズム６２に通すことにより、暗号化されていないＳＥＥＤコード「ＳＥＥＤ−２Ａ」を演算する。
【００６６】
ステップ５０８において、登録済み携帯端末３ａ（第１登録部２６）は、演算したＳＥＥＤコード「ＳＥＥＤ−２Ａ」を、例えばネットワーク２２の通信を通じて追加登録携帯端末３ｂに送信する。
【００６７】
ステップ５０９において、追加登録携帯端末３ｂ（第２登録部２７）は、登録済み携帯端末３ａからＳＥＥＤコード「ＳＥＥＤ−２Ａ」を受信すると、自身に書き込まれている携帯端末キーＩＤ「ＩＤ−２」と、登録済み携帯端末３ａから取得したＳＥＥＤコード「ＳＥＥＤ−２Ａ」とを、近距離無線を通じて端末認証ＥＣＵ−Ａに送信する。
【００６８】
ステップ５１０において、キー情報計算部２９は、追加登録携帯端末３ｂからＳＥＥＤコード「ＳＥＥＤ−２Ａ」を受信すると、これを基に携帯端末キー鍵「鍵−２」を計算する。具体的に述べると、キー情報計算部２９は、まず追加登録携帯端末３ｂから取得したＳＥＥＤコード「ＳＥＥＤ−２Ａ」を暗号文とし、端末認証ＥＣＵ−Ａに書き込まれているＥＣＵ鍵「鍵−Ａ」を配送鍵として、これらを端末認証ＥＣＵ−Ａの暗号アルゴリズム６３に通すことにより、携帯端末キー鍵「鍵−２」を演算する。キー情報計算部２９は、計算により求めた携帯端末キー鍵「鍵−２」を、「ＩＤ−２」に紐づけて、端末認証ＥＣＵ−Ａの携帯端末キー鍵書き込み欄６４に書き込む。このように、第２パターンによっても追加登録携帯端末３ｂを車両１に登録することが可能である。
【００６９】
本実施形態の構成によれば、以下に記載の効果を得ることができる。
（１）追加登録携帯端末３ｂを端末認証ＥＣＵ８に追加登録するにあたっては、端末認証ＥＣＵ８に既に登録が済んでいる登録済み携帯端末３ａを経由しなければ、追加登録携帯端末３ｂを端末認証ＥＣＵ８に登録することができない。よって、追加登録携帯端末３ｂを端末認証ＥＣＵ８に追加登録するにあたり、登録済み携帯端末３ａが必要となるので、不正登録を生じ難くすることができる。
【００７０】
（２）追加登録携帯端末３ｂの追加登録は、登録済み携帯端末３ａ及び第１センター２０が協同して行う。よって、追加登録には、第１センター２０による許可も必要となるので、不正登録の防止に一層有利となる。
【００７１】
（３）車両１及び携帯端末３のＩＤ照合で使用する携帯端末キー情報Ｄkeは、第１センター２０に設けられたデータベース２５で管理される。そして、第１センター２０は、追加登録時、データベース２５を参照することにより、端末認証ＥＣＵ８に書き込むべき携帯端末キー情報Ｄkeを特定し、これを端末認証ＥＣＵ８に登録させる。このように、携帯端末キー情報Ｄkeは第１センター２０のデータベース２５で管理されるので、携帯端末キー情報Ｄkeの不正読み出し等に対する防犯性を高めることができる。
【００７２】
（４）登録済み携帯端末３ａ（第１登録部２６）は、追加登録のとき、登録済み携帯端末３ａの携帯端末キーＩＤ「ＩＤ−１」と、追加登録携帯端末３ｂの携帯端末キーＩＤ「ＩＤ−２」とを、第１センター２０に送信する。第１センター２０は、登録済み携帯端末３ａから取得した携帯端末キーＩＤ「ＩＤ−１」を基に、いま登録対象となっている端末認証ＥＣＵ８を特定して、これをデータベース２５に反映し、登録済み携帯端末３ａから取得した携帯端末キーＩＤ「ＩＤ−２」とデータベース２５とを基に、端末認証ＥＣＵ８に書き込むべき携帯端末キー鍵「鍵−２」を読み出して、これを端末認証ＥＣＵ８に登録させる。よって、追加登録携帯端末３ｂに書き込むべき正しい携帯端末キー鍵「鍵−２」を、間違えずに特定するのに有利となる。
【００７３】
（５）第１センター２０から携帯端末３を経由して端末認証ＥＣＵ８に配送される携帯端末キー鍵「鍵−２」は、鍵そのものではなく、鍵の元となるＳＥＥＤコード「ＳＥＥＤ−２Ａ」によって送信される。よって、携帯端末キー鍵「鍵−２」の配送にあたり、不正取得等に対するセキュリティ性を確保することができる。
【００７４】
（６）携帯端末キー鍵「鍵−２」は、暗号化が２回なされて、端末認証ＥＣＵ８に配送される。よって、ＳＥＥＤコード「ＳＥＥＤ−２Ａ」の不正取得を生じ難くするのに一層有利となる。
【００７５】
（７）携帯端末登録システム１９は、携帯端末３を初めて端末認証ＥＣＵ８に登録する新規登録と、携帯端末３を端末認証ＥＣＵ８に追加する追加登録との両方を実行可能である。よって、１つの携帯端末登録システム１９で新規登録と追加登録との両方を実行することができる。
【００７６】
なお、実施形態はこれまでに述べた構成に限らず、以下の態様に変更してもよい。
・電子キーシステム６は、例えば電子キー５が車両１に近づくと車両ドアが自動で解錠され、電子キー５が車両１から離れると車両ドアが自動で解錠されるシステムでもよい。
【００７７】
・電子キーシステム６は、例えば車両１の左右に一対の送信アンテナを備え、これら送信アンテナから送信された電波に対する電子キー５の応答の組み合わせを確認することにより、電子キー５の車内外位置を判定するシステムでもよい。
【００７８】
・電子キーシステム６は、例えばＲＦＩＤを用いたイモビライザーシステムとしてもよい。
・データベース２５は、携帯端末３と端末認証ＥＣＵ８との紐付けが分かるものであれば、種々のデータ内容に変更できる。
【００７９】
・例えば、第１センター２０が携帯端末キーＩＤを端末認証ＥＣＵ８に配送するのであれば、この携帯端末キーＩＤをＳＥＥＤコードによって端末認証ＥＣＵ８に向けて配送してもよい。
【００８０】
・第１センター２０及び第２センター２１は、１つのセンターに統一してもよい。
・メモリ部７は、ＵＩＭカードに限定されず、情報が書き込める領域であればよい。
・ユーザ情報Ｄus、端末認証ユニット情報Ｄun、携帯端末キー情報Ｄkeの要素は、種々のパラメータに適宜変更可能である。
【００８１】
・携帯端末３の登録（新規登録、追加登録）にあたっては、無線及び有線は特に問わない。また、無線通信の際に用いる通信ハードも種々に変更可能である。
・携帯端末３は、高機能携帯電話以外の種類として、例えばタブレット端末やＩＣカード等の他の端末に変更可能である。
【００８２】
・端末認証ユニット情報Ｄunは、ＥＣＵ−ＩＤ及びＥＣＵ鍵の少なくとも一方であればよいし、端末認証ＥＣＵ８を識別できるデータであれば、これら以外のデータを採用してもよい。
【００８３】
・車載部品の製造及び取り付けの手順におけるユーザ情報Ｄus及び端末認証ユニット情報Ｄunの紐付け方法や、メモリ部７にデータ書き込みを行う手順における携帯端末キー情報Ｄkeの紐付け方法は、種々の態様に変更可能である。
【００８４】
・データベース２５は、第１センター２０に設けられることに限らず、例えば登録済み携帯端末３ａなど、他の部材に設けてもよい。
・追加登録は、第１センター２０を介さず、例えば登録済み携帯端末３ａ及び追加登録携帯端末３ｂのみで実施可能としてもよい。
【００８５】
・登録の手順は、実施形態に記載の順に限定されず、前後を入れ替えることも可能である。
・追加登録にあたり、登録動作の少なくとも１手順（１動作）が登録済み携帯端末３ａを経由して実行されればよい。
【００８６】
・機器は、車両１に限らず、他の装置やシステムなどに適宜変更してもよい。
次に、上記実施形態及び別例から把握できる技術的思想について、それらの効果とともに以下に追記する。
【００８７】
（イ）携帯端末で機器を操作できるように、当該携帯端末を前記機器の端末認証ユニットに登録する携帯端末登録方法において、追加登録端末が追加登録依頼を登録済み携帯端末に送信するステップと、前記追加登録携帯端末から前記追加登録依頼を受信した前記登録済み携帯端末が主体となって、前記追加登録携帯端末を前記端末認証ユニットに追加登録する動作を実行するステップとを備えたことを特徴とする携帯端末登録方法。
【符号の説明】
【００８８】
１…機器の一例である車両、３…携帯端末、３ａ…登録済み携帯端末、３ｂ…追加登録携帯端末、８…端末認証ユニットの一例である端末認証ＥＣＵ、１９…携帯端末登録システム、２０…センターの一例である第１センター、２５…データベース、２６…第１登録部、２７…第２登録部、２８…キー情報配送部、２９…キー情報計算部、Ｄke…携帯端末キー情報、ＩＤ−１，ＩＤ−２…携帯端末キーＩＤ、鍵−１，鍵−２…携帯端末キー鍵、ＩＤ−Ａ…端末認証ユニットＩＤの一例であるＥＣＵ−ＩＤ、鍵−Ａ…端末認証ユニット鍵の一例であるＥＣＵ鍵、ＳＥＥＤ−２Ａ…ＳＥＥＤコード、ＳＥＥＤ−２Ａ’…暗号化されたＳＥＥＤコード。
【図１】
2015154283.tif 000003
【図２】
2015154283.tif 000004
【図３】
2015154283.tif 000005
【図４】
2015154283.tif 000006
【図５】
2015154283.tif 000007
【図６】
2015154283.tif 000008
【図７】
2015154283.tif 000009
【図８】
2015154283.tif 000010
【図９】
2015154283.tif 000011